(57)【要約】      （修正有）【課題】構造が簡単で、組み立て易く、取り外し易く、洗い易くまたフィルターカートリッジを堅固に支持する効果を達成することができる改良型フィルター構造を提供する。【解決手段】改良型フィルター構造の各積層ユニット４はそれぞれ各支持桿３の他端に着脱自在に設置されており、それはそれぞれ一つの第二の環状台座４１、第二の環状台座４１内の底面に設置される多数のシールリブ４２、第二の環状台座４１の一面に設置されておりまた支持桿３の他端と突合せ結合される一つの結合部４３、及び第二の環状台座４１の他面に設置される一つの施力部４４を含んでおり、各シールリブ４２は先細り状となっており、また各第二の環状台座４１の内面には各シールリブ４２間にぴったりと接合する一つのガスケット４５が設置され、各結合部４３にはそれぞれ支持桿３の他端のスタッド３２と突合せ結合されるスイベルナット４３１が設置されている。【選択図】図４
0003185612.tif 000002
【実用新案登録請求の範囲】
【請求項１】
一つその内部が一つの隔板により第一及び第二の空間が定義されるバケツ体において、当該バケツ体の外側にそれぞれ第一と第二の空間に連通する導入部及び導出部が設けられ、またバケツ体の一端に一つの上蓋が着脱自在に設置される一つのバケツ体と、
多数の隔板にそれぞれ設置される固定ユニットにおいて、それぞれ一つの第一の環状台座、多数の第一の環状台座内の底面に設置されるシールリブ、及び一つ第一の環状台座に設置されておりまた第一と第二の空間と連通する延在部が含まれている多数の固定ユニットと、
それぞれその一端が各延在部に着脱自在に設置される多数の支持桿と、
それぞれ各支持桿の他端に着脱自在に設置される多数の積層ユニットにおいて、それぞれ一つの第二の環状台座、多数の第二の環状台座内の底面に設置されるシールリブ、一つ第二の環状台座の一面に設置されておりまた支持桿の他端と突合せ結合される結合部及び一つ第二の環状台座の他面に設置される施力部が含まれている多数の積層ユニットと、
多数それぞれ各支持桿に穿設されるフィルターカートリッジにおいて、その両端面がそれぞれ第一及び第二の環状台座のシールリブと互いに当接する多数のフィルターカートリッジと、を含む改良型フィルター構造。
【請求項２】
各第一の環状台座の各シールリブは先細り状となっており、また各第一の環状台座の内面には一つのガスケットが設置されていることを特徴とする請求項１記載の改良型フィルター構造。
【請求項３】
各第一の環状台座の各延在部の両側にそれぞれ一つ第一と第二の空間と連通する穿設孔が設置されていることを特徴とする請求項１に記載の改良型フィルター構造。
【請求項４】
各支持桿の両端にはそれぞれ一つのスタッドを有し、各延在部及び各結合部はそれぞれそのスイベルナットがスタッドと突合せ結合されることを特徴とする請求項１に記載の改良型フィルター構造。
【請求項５】
各第二の環状台座の各シールリブは先細り状となっており、また各第二の環状台座の内面には一つのガスケットが設置されていることを特徴とする請求項１に記載の改良型フィルター構造。
【考案の詳細な説明】
【技術分野】
【０００１】
本考案は改良型フィルター構造に関し、特に構造が簡単で、組み立て易く、取り外し易く、洗い易くまたフィルターカートリッジを堅固に支持する効果を持つ改良型フィルター構造に関するものである。
【背景技術】
【０００２】
従来の工業及びろ過装置は、フィルターカートリッジの変形・損害、及び体ろ過装置全体のろ過効果を引き上げるために、そのフィルターカートリッジの頂面と底面すべてが密封され、底と底の周りの外壁もすべて被覆され固定されている。ただし実際の運用時には少なくとも下記の欠点がある。
1.  部材全体が複雑で、また一定の時間使用後、パッキンを交換しなければならないため、組み立て、取り外し及び掃除の不便をもたらす。
2.  第一固定部品と第二固定部品の構成部材が複雑であることにより、第一、第二固定部品とフィルターカートリッジとの間の密着度が良くない状況が発生する。
3.  その上蓋は螺旋ジャッキを採用しそれを上げてから平らに移動させるように開けるが、開ける手間及び工程を必要とするだけでなく、設置空間が大きい。
4.  当該フィルターカートリッジの固定装置の第一の固定部品は圧板及びスプリングにより固定されなければならないため、フィルターカートリッジはぐらついて安定しない状況が生じる。
従って、前記従来の「工業及びろ過装置」は実用需要を満たすことができない。
【考案の概要】
【考案が解決しようとする課題】
【０００３】
前記従来のフィルター構造の欠点を克服するために、本考案の考案者は改良型フィルター構造を考案する。その目的は、従来のフィルター構造は完備されてないため、知恵を生かしてよく研究し従来のフィルター構造の欠点を克服し、当該項目の産業に係る長年の経験により、構造が簡単で、組み立て易く、取り外し易く、洗い易くまたフィルターカートリッジを堅固に支持する効果を持つ改良型フィルター構造を考案しだす。
【課題を解決するための手段】
【０００４】
前記の目的を実現させるために、本考案に係る改良型フィルター構造は、一つその内部が一つの隔板により第一及び第二の空間が定義されるバケツ体において、当該バケツ体の外側にそれぞれ第一と第二の空間に連通する導入部及び導出部が設けられ、またバケツ体の一端に一つの上蓋が着脱自在に設置される一つのバケツ体と、多数の隔板にそれぞれ設置される固定ユニットにおいて、それぞれ一つの第一の環状台座、多数の第一の環状台座内の底面に設置されるシールリブ、及び一つ第一の環状台座に設置されておりまた第一と第二の空間と連通する延在部が含まれている多数の固定ユニットと、それぞれその一端が各延在部に着脱自在に設置される多数の支持桿と、それぞれ各支持桿の他端に着脱自在に設置される多数の積層ユニットにおいて、それぞれ一つの第二の環状台座、多数の第二の環状台座内の底面に設置されるシールリブ、一つ第二の環状台座の一面に設置されておりまた支持桿の他端と突合せ結合される結合部及び一つ第二の環状台座の他面に設置される施力部が含まれている多数の積層ユニットと、多数それぞれ各支持桿に穿設されるフィルターカートリッジにおいて、その両端面がそれぞれ第一及び第二の環状台座のシールリブと互いに当接する多数のフィルターカートリッジと、を含むことを特徴としている。
【考案の効果】
【０００５】
本考案の改良型フィルター構造は、構造が簡単で、組み立て易く、取り外し易く、洗い易くまたフィルターカートリッジを堅固に支持する効果を達成することができる。
【図面の簡単な説明】
【０００６】
【図１】本考案の立体分解図である。
【図２】本考案の一部の断面図である。
【図３】本考案の側面状態を示す模式図である。
【図４】本考案の固定ユニット、支持桿、積層ユニットとフィルターカートリッジを結合した模式図である。
【考案を実施するための形態】
【０００７】
本考案の目的、特徴及び効果を十分に理解するために、後述する具体的な実施例、またそれに付属する図面を合わせることにより、本考案に対して詳細な説明を行い、それについて下記のように説明する。
【実施例】
【０００８】
図１、図２、図３及び図４は、それぞれ本考案を示す立体分解図、本考案の一部の断面図、本考案の側面状態を示す模式図及び本考案の固定ユニット、支持桿、積層ユニットとフィルターカートリッジを結合した模式図である。図に示すように、本考案の改良型フィルター構造は少なくとも一つのバケツ体１、多数の固定ユニット２、多数の支持桿３、多数の積層ユニット４及び多数のフィルターカートリッジ５を含むことにより構成されている。  
【０００９】
前記のバケツ体１の内部には一つの隔板１０により第一の空間及び第二の空間１１、１２が定義され、また当該バケツ体１外側にはそれぞれ第一と第二の空間１１、１２に連通する導入部１３及び導出部１４が設置されており、また当該バケツ体１の一端側に一つの上蓋１６が着脱自在に設置されている。
【００１０】
各固定ユニット２はそれぞれ隔板１０に設置され、それはそれぞれ隔板１０に溶接されている第一の環状台座２１、第一の環状台座２１内の底面に設置されている多数のシールリブ２２、及び第一の環状台座２１に設置されておりまた第一と第二の空間１１、１２に連通する一つの延在部２３を含んでおり、各シールリブ２２は先細り状となっており、また各第一の環状台座２１の内面には一つ各シールリブ２２間にぴったりと接合するガスケット２４が設置され、各延在部２３の一端にはスイベルナット２３１が設置され、また各延在部２３の両側にはそれぞれ一つ第一と第二の空間１１、１２に連通する穿設孔２３２が設置され、穿設孔２３２により水或はその他の液体が第一の空間１１から第二の空間１２へ流れるようにすることができる。
【００１１】
各支持桿３の両端にはそれぞれ一つのスタッド３１、３２が設置され、その一端のスタッド３１は延在部２３のスイベルナット２３１と着脱自在に結合されている。
【００１２】
各積層ユニット４はそれぞれ各支持桿３の他端に着脱自在に設置されており、それはそれぞれ一つの第二の環状台座４１、第二の環状台座４１内の底面に設置される多数のシールリブ４２、第二の環状台座４１の一面に設置されておりまた支持桿３の他端と突合せ結合される一つの結合部４３、及び第二の環状台座４１の他面に設置される一つの施力部４４を含んでおり、各シールリブ４２は先細り状となっており、また各第二の環状台座４１の内面には各シールリブ４２間にぴったりと接合する一つのガスケット４５が設置され、各結合部４３にはそれぞれ支持桿３の他端のスタッド３２と突合せ結合されるスイベルナット４３１が設置されている。
【００１３】
各フィルターカートリッジ５はそれぞれ各支持桿３に穿設されており、またその両端面はそれぞれ各第一及び第二の環状台座２１、４１のシールリブ２２、４２と互いに当接している。
【００１４】
ろ過器のろ過方法は周知のとおりであるので、多言を要せず、ここでは本考案の達成できる効果のみについて下記のように説明する。
上蓋１６が開けられると、各フィルターカートリッジ５をそれぞれ各支持桿３に穿設することができ、そして道具で回転外力を各第二の環状台座４１の施力部４４に印加し、それにより各第二の環状台座４１の結合部４３のスイベルナット４３１を支持桿３の他端のスタッド３２に突き合わせ、それにより第一及び第二の環状台座２１、４１のシールリブ２２、４２をそれぞれ当接させまたフィルターカートリッジ５の両端面に噛み合わせ、またシールリブ２２、４２間のガスケット２４、４５により第一及び第二の環状台座２１、４１とフィルターカートリッジ５との間の密着度を高め、そして当該第一の環状台座２１は隔板１０に固設されており、また第一及び第二の環状台座２１、４１の周縁はフィルターカートリッジ５の外縁に当接しているので、従って第二の環状台座４１と支持桿３が結合した後に、フィルターカートリッジ５を支持桿３に堅固に設置することができ、スリットの発生を避けることができ、それによりろ過器のろ過効果を向上させる。
【００１５】
取り外し時には、道具で回転外力を各第二の環状台座４１の施力部４４に印加することができ、それにより各第二の環状台座４１の結合部４３のスイベルナット４３１を支持桿３の他端のスタッド３２から脱着させ、またフィルターカートリッジ５を取り出し、そして回転外力を各支持桿３の一端に印加し、これにより各支持桿３のスタッド３１を延在部２３のスイベルナット２３１から離脱させ、このようにすれば、バケツ体１内部の第一の空間１１を一掃することができ、バケツ体１内部を取り外しやすく洗いやすい効果を達成することができる。
【００１６】
また、各支持桿３の両端はそれぞれスタッド３１、３２を各延在部２３及び各結合部４３のスイベルナット２３１、４３１に突き合わせるようにしているので、第一及び第二の環状台座２１、４１を支持桿３においてピッチの微調整を行わせ、それにより異なる長さのフィルターカートリッジ５に合致させる。
【００１７】
前述のように、本考案は完全に特許取得の三要件である斬新性、進歩性と産業上の利用可能性に合致する。斬新性と進歩性で言えば、本考案は、構造が簡単で、組み立て易く、取り外し易く、洗い易くまたフィルターカートリッジを堅固に支持する効果を達成することができる改良型フィルター構造である。産業上の利用可能性で言えば、本考案から派生する製品を利用すれば、現在の市場の需要を十分に満たすことができる。
【００１８】
本考案は前文においてすでに望ましい実施例を説明したが、本項目の技術の熟練した人にとっては、当該実施例は本考案を図示するのみに使用されたが、本考案の範囲を限定するものでないことが明白である。とくに注意すべき点は、すべて当該実施例と同じ効果の変形と修正は下記の実用新案登録請求の範囲に特定されたものを基準とする。
【符号の説明】
【００１９】
１  バケツ体
１０  隔板
１１  第一の空間
１２  第二の空間
１３  導入部
１４  導出部
１６  上蓋
２  固定ユニット
２１  第一の環状台座
２２  シールリブ
２３  延在部
２３１  スイベルナット
２３２  穿設孔
２４  ガスケット
３  支持桿
３１、３２  スタッド
４  積層ユニット
４１  第二の環状台座
４２  シールリブ
４３  結合部
４３１  スイベルナット
４４  施力部
４５  ガスケット
５  フィルターカートリッジ
【図１】
0003185612.tif 000003
【図２】
0003185612.tif 000004
【図３】
0003185612.tif 000005
【図４】
0003185612.tif 000006